(57)【要約】【課題】  開封性の良い包装形態とするために、開封口となる非接着部を設けた包装体の製造方法及び製造装置に関するものである。【解決手段】  ヒートシール性を有するシートによりキャラメル包装された包装体の両側面部及び胴部に形成されたシート重畳部をヒートシールするための加熱手段と、前記加熱手段による熱を前記シート重畳部に対して遮断するため、上記加熱手段と前記シート重畳部の間に、少なくとも１か所以上配された断熱手段を備える包装体の製造装置である。【選択図】  図２
2007261605.tif 000002
【特許請求の範囲】
【請求項１】
包装体の製造方法であって、被包装体の表面をヒートシール性を有するシートを用いてキャラメル包装し、キャラメル包装により包装体の両側面部及び胴部に形成されたシート重畳部を加熱手段によりヒートシールする際に、前記加熱手段の前記シート重畳部への熱伝導を遮断するために、前記加熱手段と前記シート重畳部の間に少なくとも１か所以上の断熱手段を介在させることを特徴とする包装体の製造方法。
【請求項２】
包装体の製造装置であって、ヒートシール性を有するシートによりキャラメル包装された包装体の両側面部及び胴部に形成されたシート重畳部をヒートシールするための加熱手段を備え、前記加熱手段による熱を前記シート重畳部に対して遮断するため、上記加熱手段と前記シート重畳部の間に、少なくとも１か所以上配された断熱手段を備えることを特徴とする包装体の製造装置。
【請求項３】
前記断熱手段は、前記製造装置から着脱容易であることを特徴とする請求項２記載の包装体の製造装置。
【請求項４】
前記断熱手段は、断熱板からなることを特徴とする請求項２又は請求項３記載の包装体の製造装置。
【請求項５】
前記断熱手段は、ベイクライト板であることを特徴とする請求項２〜４のいずれかに記載の包装体の製造装置。
【発明の詳細な説明】
【技術分野】
【０００１】
本発明は、ヒートシール性を有するシートを用いた被包装体の包装において、開封性の良い包装形態とするために開封口となる非接着部を設けた包装体の製造方法及び製造装置に関するものである。
【背景技術】
【０００２】
一般に、冊子や用紙などの製品は、製品の汚れ防止や、運搬時、保管時における散逸防止等のために包装シート等で包装され、市場に供給される。それらの製品の包装形態には、製品を包装シートによって隙間なく密封したものや、包装シートから製品を取り出しやすいように、開封性をよくしたものなどがある。
【０００３】
これらの包装は、熱溶着フィルム等のヒートシール性を有するシートを用いて、被包装体をキャラメル包装し、包装体の胴部と両側面部に形成された当該シートの重なり合った部分（シート重畳部）をヒートシールすることにより包装される場合が多い。
【０００４】
なお、キャラメル包装とは、包装用シート等を用いて製品等の被包装体の表面を筒状にくるみ、当該シートの両端部を被包装体の胴面で重ね合わせ、また、包装体の両側面部に延出したシート部分を上下左右から両側面部の中央付近に向かって折り込んだ包装である。
【０００５】
ところで、上記のようにキャラメル包装されて、シート重畳部がヒートシールされた包装体は、丈夫に包装されているため、運搬時や保管時等において問題は生じないが、ヒートシール条件（熱溶着フィルムの材料やヒートシール温度等）によっては、熱溶着フィルム等の引き裂き強度が増加する傾向にあり、手や指では簡単に開封しにくい場合があった。
【０００６】
そこで、運搬時や保管時には崩れにくい包装形態でありながら、人の手で容易に開封しやすい包装形態が求められており、それを満たす包装体の製造装置として、非接着部と同一面積となるようにフィルムにインキを塗布して熱による溶着を防ぐ方法や、熱溶着こての非接着部に対応する部分に、凹状の切り欠きや断熱材等を設置することにより、熱が加わらないようにすることで、非接着部を形成する包装装置が開示されている（特許文献１）。
【０００７】
【特許文献１】実願平５−２５６２９
【発明の開示】
【発明が解決しようとする課題】
【０００８】
しかしながら、従来の包装用フィルムにインキを塗布して熱による溶着を防ぐ装置又は方法を用いると、包装用フィルム上に印刷加工を施す工程が別に必要となり、費用がかかっていた。
【０００９】
また、多品種の製品を包装する際には、包装する製品の切り替えの都度、その製品の開封性にあった包装形態にする必要があり、また、顧客によっては、非接着部を設けず頑丈に密封した包装形態が求められる場合もあり、それらの包装形態に対応するために従来のヒーターに凹状の切り欠きや断熱材を設けた装置や方法を用いると、ヒーターの改造や製造装置に設置した断熱材の取り外しに多大な費用と時間がかかり、即座に対応することができなかった。また、製造装置に設置した断熱材の取り外しや取り付けには、費用や時間がかかるため、求められる包装体の開封条件に合わせて、包装用シートの材質を変更する必要も生じていた。
【００１０】
本発明は、上記のような従来技術の問題点にかんがみてなされたもので、その目的とするところは、追加工程や製造装置の改造又は包装用シートの材質の変更等を必要とせず、その包装体の開封性にあった包装形態や開封性の程度に応じて、包装用シートの重畳部に自由に非接着部を形成する製造方法及び製造装置を提供することにある。
【課題を解決するための手段】
【００１１】
本発明は、包装体の製造方法であって、被包装体の表面をヒートシール性を有するシートを用いてキャラメル包装し、キャラメル包装により形成された被包装体の両側面部及び胴部のシート重畳部を加熱手段によりヒートシールする際に、前記加熱手段の前記シート重畳部への熱伝導を遮断するために前記加熱手段と前記シート重畳部の間の少なくとも１か所以上に断熱手段を介在させるものである。
【００１２】
また、本発明は、包装体の製造装置であって、ヒートシール性を有するシートによりキャラメル包装された包装体の両側面部及び胴部に形成されたシート重畳部をヒートシールするための加熱手段を備え、前記加熱手段による熱を前記シート重畳部に対して遮断するために、上記加熱手段と前記シート重畳部の間に少なくとも１か所以上に配された断熱手段を備えることを特徴とする包装体の製造装置を提供するものである。
【００１３】
また、本発明は、包装体の製造装置であって、ヒートシール性を有するシートによりキャラメル包装された包装体の両側面部及び胴部に形成されたシート重畳部をヒートシールするための加熱手段を備え、前記加熱手段による熱を前記シート重畳部に対して遮断するために、上記加熱手段と前記シート重畳部の間に少なくとも１か所以上に配された断熱手段を備え、前記断熱手段が包装体の製造装置から着脱容易であることを特徴とする包装体の製造装置を提供するものである。
【００１４】
また、本発明は、前記断熱手段が、断熱板からなることを特徴とする包装装置を提供するものである。
【００１５】
また、本発明は、前記断熱手段がベイクライト板であることを特徴とする包装装置を提供するものである。
【発明の効果】
【００１６】
上記のように構成された本発明の包装体の製造方法及び製造装置によれば、被包装体の形態や顧客からの開封性についての要望に応じて、包装用シートのシート重畳部の任意の場所に開封口となる非接着部を形成した包装体を製造することができる。また、包装体の製造装置に着脱容易な断熱手段を設けることで、多品種の製品を包装する際の製品切り替え時にも、工程の追加や、製造装置の改造や、包装用シートの材質変更等が不要となるため、低コスト且つ迅速に包装を行うことができる。
【発明を実施するための最良の形態】
【００１７】
以下に、本発明を実施するための最良の形態について、図面を参照しながら詳細に説明する。しかしながら、本発明は以下に述べる実施するための最良の形態に限定されるものではなく、特許請求の範囲の記載における技術的思想の範囲内であれば、その他のいろいろな実施の形態が含まれる。
【００１８】
本発明における包装体の製造方法について説明する。
【００１９】
本発明における包装体の製造方法は、まず、ヒートシール性を有するシート３（以下、シート３という。）を用いて、被包装体の表面をキャラメル包装する。ここで、キャラメル包装とは、図１（ａ）〜（ｇ）にその工程の一例として示すように、被包装体２を被包装体の各辺より長い幅のシート３を用いて、図１（ａ）に示すように被包装体２を筒状にくるみ、図１（ｂ）、（ｃ）、（ｄ）、（ｅ）に順に示すように、シート３の両端部を被包装体２の胴部５で重ね合わせ、延出したシート部分を、被包装体２の両側面部６の中央部付近で上下左右に折り重ねる包装である。図１（ｆ）はキャラメル包装された包装体４を天面から見た状態であり、図１（ｇ）は、それを地面から見た状態である。図１（ｆ）及び（ｇ）から分かるように、包装体４の胴部５及び両側面部６には、シート３が重なり合ったシート重畳部７を有している。
【００２０】
そして、キャラメル包装により形成された包装体４の胴部５及び両側面部６のシート重畳部７を加熱手段によりヒートシールする際に、加熱手段と包装体４との間に加熱手段からシート重畳部７への熱伝導を遮断するための断熱手段を、加熱手段とシート重畳部７の間に少なくとも１か所以上介在させた状態でシート重畳部のヒートシールを行う。
【００２１】
次に本発明の包装体の製造方法の実施に用いる製造装置の一例について説明する。
【００２２】
図２は、本発明の包装体の製造装置の概略的斜視図である。
【００２３】
図２に示すように、本発明の包装体の製造装置１は、シート３を用いて被包装体２の表面をキャラメル包装して得られる包装体４に形成される両側面部のシート重畳部７をヒートシールするための加熱手段８ａ、８ｂと、包装体４の胴部のシート重畳部７をヒートシールするための加熱手段８ｃを備え、更に、加熱手段８ａ、８ｂ、８ｃと前記シート重畳部７の間には、加熱手段８ａ、８ｂ、８ｃからの熱をシート重畳部７に対して遮断するための断熱手段１１が少なくとも１か所に設けられたものである。
【００２４】
加熱手段の形状は、胴部と両側面部をヒートシールする加熱手段が、図２に示すようなコの字型の一体形状であってもよいし、胴部と両側面部をヒートシールする加熱手段のそれぞれが分かれている形状であってもよい。
【００２５】
また、加熱手段の温度は、包装用シートの材質や、ヒートシールする時間等によって適切な温度を適宜設定されるが、好ましくは、１２０℃〜１８０℃程度に設定するとよい。
【００２６】
断熱手段１１は、求められる包装体の開封条件に応じて、加熱手段８ａ、８ｂ、８ｃとシート重畳部７の間に、包装体の開封のきっかけとなる開封口を設けるように配置されており、また、加熱手段の搬送方向における長さより長いものが配置されている。断熱手段１１は、包装体の製造装置１から着脱容易となるように製造装置の一部にネジ、ボルト、クリップ等により固定されたり、フック等により係合されるなどして設けられていればよい。
【００２７】
断熱手段１１としては、断熱性又は耐熱性に優れている素材を利用することが可能であるが、好ましくは、ベイクライト、テフロン（登録商標）、シリコンゴム、ポリエステル等を用いるとよい。
【００２８】
断熱手段１１の形状は、図２に示すような長方形に限定されず、包装体に開封口として設けたい形状となるように適宜選択することが可能である。
【００２９】
シート３の材質としては、加熱手段によってシート重畳部がヒートシールされるものであれば、特に制限なく利用可能である。例えば、セロファン、ポリエチレン、ポリプロピレン、ポリウレタン等のような合成樹脂フィルムや、それらを改質したゴム質又はプラスチック質のような熱可塑性シートを挙げることができる。また、少なくともシートの片面（包装の際に製品と接する面）にヒートシールに必要な溶剤等がコーティングしてある素材であれば異素材が積載された多層フィルム等でも利用可能である。更に、上記したフィルム以外にも、熱を加えてヒートシールされる防湿素材等が少なくとも片面にコーティングされたクラフト用紙等でも利用可能である。
【００３０】
本発明の被包装体の形状は、図示したような直方体に限定されるものではなく、例えば、三角柱状、円柱状、円筒状、角筒状などの形状が挙げられる。また、本や冊子等の被包装体を複数積載した形状でもよく、キャラメル包装が可能であれば、どのような形状であっても構わない。
【００３１】
なお、非接着部となる部分に開封口であることが分かるように、印刷等を施してもよい。
【００３２】
この実施の形態によれば、断熱手段１１を設けることで、簡単に包装体のシート重畳部に任意の位置、形状の非接着部を設けることができるので、開封口となる非接着部に指や手等を挿入して引き裂くことで容易に開封することが可能である。
【００３３】
また、断熱手段１１が、製造装置１から着脱容易なので、包装形態の異なる製品を包装する際の製造条件の切り替え時や、顧客から開封性に関する要望等があった場合にも、製造装置の改造や包装用シートの材質変更が不要となるため、低コストで迅速な対応が行える。
【００３４】
次に、本発明の実施例について図面を用いて説明する。本実施例の図４乃至図９においては、発明を実施するための最良の形態で示した同様の機能を有する構成部材には同じ番号を付記する。
【実施例１】
【００３５】
図４は本発明の第１実施例の形態を示す概略的斜視図である。
【００３６】
本実施例の製造装置１は、融点１１０℃、厚さ３５μｍのポリプロピレンフィルム３を用いて、Ａ４サイズ、高さが１５ｃｍの被包装体２をキャラメル包装した包装体４のフィルム重畳部７に、厚さ２ｍｍのベイクライト板１１を用いて開封口となる非接着部を設けるようにヒートシールする装置である。
【００３７】
図４に示すように本実施例の包装体の製造装置１は、供給部１２、包装部１３、ヒートシール部１４、排出部１５を備えている。
【００３８】
供給部１２には、被包装体２を一定の速度で、矢印の搬送方向に包装部１３へ向かって順次搬送する搬送路が設けられており、被包装体２は、供給部１２からこの搬送路に沿って包装部１３に搬送されるようになっている。
【００３９】
包装部１３では、搬送されてきた被包装体２がポリプロピレンフィルム３によりキャラメル包装される（図示せず）。そして、キャラメル包装された包装体４は、胴部のシート重畳部７が下面となるように、また、両側面部のシート重畳部７が、搬送方向に平行となるよう搬送路に配置された状態でヒートシール部１４に搬送される。
【００４０】
ヒートシール部１４は、両側面部のシート重畳部７をヒートシールするためのサイドヒーター８ａ、８ｂ（加熱手段）及び胴部のシート重畳部７をヒートするためのボトムヒーター８ｃ（加熱手段）及びベイクライト板１１（断熱手段）を備えている。サイドヒーター８ａ、８ｂの温度は、１７０℃に設定されており、ボトムヒーター８ｃの温度は、１２０℃に設定されている。なお、サイドヒーター８ａ、８ｂやボトムヒーター８ｃは、ヒートシール部１４に搬送された包装体の胴部や両側面部のシート重畳部に向かって動く構成であってもいいし、サイドヒーター８ａ、８ｂ及びボトムヒーター８ｃは、包装体４がヒートシール部１４を通過する際にヒートシールされるように、あらかじめ包装体４の幅及び高さに固定されていてもよい。
【００４１】
ベイクライト板１１は、ヒートシール部１４において、搬送される包装体４のシート重畳部７にボトムヒーター８ｃの熱伝導を防ぐために設けられている。具体的には、ベイクライト板１１は、ボトムヒーター８ｃと搬送される包装体４の胴部のシート重畳部７の間にあって、かつ、ボトムヒーター８ｃ上の中央にボトムヒーター８ｃの搬送方向上流側から下流側に向かって延出した状態で配置されている。また、ベイクライト板１１は、開封口として設けたい幅と同じ幅のものが用いられている。
【００４２】
図５（ａ）は、ベイクライト板１１の設置について説明した図である。また図５（ｂ）は、図５（ａ）のＡ―Ａの位置での断面図である。
【００４３】
ベイクライト板１１は、図５（ａ）に示すようにその一端部に設けられた孔部が製造装置の一部に設けられた突起部１７に係合されている。この係合部１６は、遊嵌した状態であるため、ベイクライト板１１は、完全に固着されずに上下又は左右に若干の遊びを有している。このような構成とすることで、搬送されてくる包装体４がヒートシール部１４においてヒートシールされるときのみ、包装体の重みでベイクライト板１１がボトムヒーター８ｃに押し付けられるため、ベイクライト板１１とボトムヒーター８ｃとの接触時間を短縮でき、ベイクライト板の劣化を抑えて長期使用することが可能となる。また、図５（ｂ）に示すように、ベイクライト板１１には、その中央部分にも、孔部が設けられている。このような構成をとることで、ボトムヒーター８ｃからの伝導熱が逃げやすくなり、更なるベイクライト板の長期使用が可能となる。なお、本実施例では、ベイクライト板１１にある程度の厚みがあるので、孔部に位置するシート重畳部がヒートシールされることはない。
【００４４】
上記のように構成されたヒートシール部１４にオンラインで搬送された包装体４は、一対のサイドヒーター８ａ、８ｂによって両側面部のシート重畳部７が完全にヒートシールされる。また、胴部のシート重畳部７は、ベイクライト板１１を配置した部分のみヒートシールされず非接着部１０となり、それ以外の胴部のシート重畳部７は、ヒートシールされ接着部９となる。
【００４５】
そして、最終的に、ヒートシール部１４でヒートシールされた包装体４は、再び搬送路によりヒートシール部１４の搬送方向の下流側にある排出部１５に排出される。
【００４６】
なお、上記ヒートシール部１４では、包装体４が搬送されている状態でヒートシールされるが、包装体４がヒートシール部１４で一度停止した状態でヒートシールされる構成であってもよい。
【００４７】
上記のごとく包装された包装体４は、包装体の胴部には、図３に示すように、開封口となる非接着部１０が１か所設けられており、開封口をきっかけとして手や指等を入れてシートを引っ張ることで、容易に包装を開封することができる。
【００４８】
また、本実施例は、ベイクライト板１１をその一端部に設けた係合部１６と製造装置の一部の突起部１７を係合させるのみなので、ベイクライト板１１の装置からの着脱が非常に容易であり、開封条件の異なる包装体を製造する際の装置の切り替えに短時間で対応することができる。
【実施例２】
【００４９】
実施例２について、図６及び図７を用いて説明する。
【００５０】
実施例２は、実施例１の包装体の製造装置において、断熱手段となるベイクライト板１１の設置場所のみを変更したものである。その他の条件は、実施例１と同じであるため説明を省略する。
【００５１】
本実施例では、包装体の胴部のシート重畳部７に開封口となる非接着部１０を３か所設けるため、図６に示すように非接着部を設けたい幅に加工されたベイクライト板１１をボトムヒーター８ｃ上に一定間隔をあけて３か所設け、ヒートシールを行う。このとき、実施例１に示すように、ベイクライト板１１は、その一端部に設けられた係合部１６と包装体の製造装置の一部に設けられた突起部１７により係合されており、ベイクライト板１１は、容易に着脱できるようになっている。
【００５２】
かくして、形成された包装体４は、図７に示すように、包装体の胴部のシート重畳部７に開封口となる非接着部１０を３か所設けた状態となっており、開封口をきっかけとして指や手等を入れてシートを引っ張ることで、容易に包装を開封することができる。
【実施例３】
【００５３】
実施例３について、図８及び図９を用いて説明する。
【００５４】
実施例３では、実施例１の包装体の製造装置において、包装する被包装体２の形状と、断熱手段となるベイクライト板１１の設置場所のみを変更したものである。その他の条件は、実施例１と同じであるので説明を省略する。
【００５５】
本実施例では、被包装体として、Ａ４サイズで高さ３０ｃｍのかさの高い被包装体２を用いたものである。包装体４の両側面部のシート重畳部７に開封口となる非接着部をそれぞれ１か所ずつ設けるために、非接着部を設けたい幅に加工されたベイクライト板１１は、図８に示すように、サイドヒーター８ａ、８ｂと両側面部のシート重畳部７の間にあって、かつ、サイドヒーター８ａ、８ｂの中央にサイドヒーター８ａ、８ｂの搬送方向の上流から下流に向かって延出して配置されている。このとき、実施例１に示すように、ベイクライト板７は、その一端部に設けられた係合部１６と包装装置の一部に設けられた突起部１７により係合されており、ベイクライト板１１は、包装体の製造装置から容易に着脱できるようになっている。
【００５６】
かくして製造された包装体４は、図９に示すように、包装体の両側面部のシート重畳部７に、開封口となる非接着部１０が２か所設けられており、両側面部の開封口をきっかけとして手や指などを入れてシートを引っ張ることで、容易に包装を開封することができる。
【００５７】
かさの高い被包装体２を実施例２の構成の製造装置を用いて包装すると、開封口をきっかけとして開封しても、被包装体にポリプロピレンフィルム３が残り、開封しづらい場合があるが、本実施例の構成の製造装置により形成された包装体は、両側面部のシート重畳部に設けられた非接着部に手や指などを入れ、ポリプロピレンフィルム３を引っ張ることで、フィルムが残らず、容易に開封することができる。
【００５８】
本実施例では、ベイクライト板１１をサイドヒーター８ａ、８ｂの両方に設けているが、いずれか一方に設けてもよいし、ボトムヒーター８ｃにベイクライト板７を設けることで胴部及び両側面部に設けてもよいことは言うまでもない。
【００５９】
なお、本発明は、上記一実施例の形態に限られることなく、その要旨の範囲内で種々変形して実施することが可能である。
【図面の簡単な説明】
【００６０】
【図１】キャラメル包装の一例を示す工程図。
【図２】本発明の包装体の製造装置を示す概略的斜視図。
【図３】本発明の包装体の製造装置により得られる包装体の斜視図。
【図４】本発明の一実施例の形態（実施例１）を示す概略的斜視図。
【図５】本発明の断熱手段の形態及び係合部を示す概略的構成図とその断面図。
【図６】本発明の一実施の形態（実施例２）を示す概略的斜視図。
【図７】実施例２によるヒートシール後の状態を示す包装体の斜視図。
【図８】本発明の一実施の形態（実施例３）を示す概略的斜視図。
【図９】実施例３によるヒートシール後の状態を示す包装体の斜視図。
【符号の説明】
【００６１】
１  製造装置
２  被包装体
３  ヒートシール性を有するシート
４  包装体
５  胴部
６  側面部
７  シート重畳部
８ａ、８ｂ、８ｃ  加熱手段
９  接着部
１０  非接着部
１１  断熱手段
１２  供給部
１３  包装部
１４  ヒートシール部
１５  排出部
１６  係合部
１７  突起部
【図１】
2007261605.tif 000003
【図２】
2007261605.tif 000004
【図３】
2007261605.tif 000005
【図４】
2007261605.tif 000006
【図５】
2007261605.tif 000007
【図６】
2007261605.tif 000008
【図７】
2007261605.tif 000009
【図８】
2007261605.tif 000010
【図９】
2007261605.tif 000011